【手続補正書】
【提出日】平成17年12月1日(2005.12.1)
【手続補正１】
【補正対象書類名】明細書
【補正対象項目名】発明の名称
【補正方法】変更
【補正の内容】
【発明の名称】包装材料
【手続補正２】
【補正対象書類名】明細書
【補正対象項目名】特許請求の範囲
【補正方法】変更
【補正の内容】
【特許請求の範囲】
【請求項１】  遮光包装された写真感光材料の包装に用いる包装材料であって、ＪＩＳ  Ｚ  ０２０８−１９７６に規定された透湿度が０．１〜１０ｇ／ｍ2・２４ｈ（４０℃・９０％ＲＨ）で、且つ、少なくとも１層が熱伝導率が０．０１〜０．３Ｗ／ｍ．Ｋの断熱層であることを特徴とする包装材料。
【請求項２】  前記断熱層は、発泡倍率が１．１〜２．０倍の発泡材料であることを特徴とする請求項１に記載の包装材料。
【請求項３】  遮光包装された写真感光材料の包装に用いる包装材料であって、ＪＩＳ  Ｚ  ０２０８−１９７６に規定された透湿度が０．１〜１０ｇ／ｍ2・２４ｈ（４０℃・９０％ＲＨ）で、且つ、少なくとも２層より構成されており、該２層の間に厚さ０．１〜１０ｍｍの空気層を設けたことを特徴とする包装材料。
【請求項４】  遮光包装された写真感光材料の包装に用いる包装材料であって、ＪＩＳ  Ｚ  ０２０８−１９７６に規定された透湿度が０．１〜１０ｇ／ｍ2・２４ｈ（４０℃・９０％ＲＨ）で、且つ、ＪＩＳ  Ｋ  ７３６１−１：１９９７に規定された全光線透過率が１〜５０％であることを特徴とする包装材料。
【請求項５】  遮光包装材料で包装された写真感光材料の包装に用いる包装材料であって、ＪＩＳ  Ｚ  ０２０８−１９７６に規定された透湿度が０．１〜１０ｇ／ｍ2・２４ｈ（４０℃・９０％ＲＨ）で、且つ、ＪＩＳ  Ｋ  ７３６１−１：１９９７に規定された全光線透過率が５０〜９５％の透明部分と、ＪＩＳ  Ｋ  ７３６１−１：１９９７に規定された全光線透過率が０．１〜４９％の不透明部分とを有することを特徴とする包装材料。
【請求項６】  前記透明部分と不透明部分との比率が１：９〜１：１であることを特徴とする請求項５に記載の包装材料。
【手続補正３】
【補正対象書類名】明細書
【補正対象項目名】００１８
【補正方法】変更
【補正の内容】
【００１８】
１）遮光包装された写真感光材料の包装に用いる包装材料であって、ＪＩＳ  Ｚ  ０２０８−１９７６に規定された透湿度が０．１〜１０ｇ／ｍ2・２４ｈ（４０℃・９０％ＲＨ）で、且つ、少なくとも１層が熱伝導率が０．０１〜０．３Ｗ／ｍ．Ｋの断熱層であることを特徴とする包装材料。
【手続補正４】
【補正対象書類名】明細書
【補正対象項目名】００１９
【補正方法】変更
【補正の内容】
【００１９】
２）前記断熱層は、発泡倍率が１．１〜２．０倍の発泡材料であることを特徴とする１）に記載の包装材料。
【手続補正５】
【補正対象書類名】明細書
【補正対象項目名】００２０
【補正方法】変更
【補正の内容】
【００２０】
３）遮光包装された写真感光材料の包装に用いる包装材料であって、ＪＩＳ  Ｚ  ０２０８−１９７６に規定された透湿度が０．１〜１０ｇ／ｍ2・２４ｈ（４０℃・９０％ＲＨ）で、且つ、少なくとも２層より構成されており、該２層の間に厚さ０．１〜１０ｍｍの空気層を設けたことを特徴とする包装材料。
【補正の内容】
【手続補正６】
【補正対象書類名】明細書
【補正対象項目名】００２１
【補正方法】変更
【補正の内容】
【００２１】
４）遮光包装された写真感光材料の包装に用いる包装材料であって、ＪＩＳ  Ｚ  ０２０８−１９７６に規定された透湿度が０．１〜１０ｇ／ｍ2・２４ｈ（４０℃・９０％ＲＨ）で、且つ、ＪＩＳ  Ｋ  ７３６１−１：１９９７に規定された全光線透過率が１〜５０％であることを特徴とする包装材料。
【手続補正７】
【補正対象書類名】明細書
【補正対象項目名】００２２
【補正方法】変更
【補正の内容】
【００２２】
５）遮光包装材料で包装された写真感光材料の包装に用いる包装材料であって、ＪＩＳ  Ｚ  ０２０８−１９７６に規定された透湿度が０．１〜１０ｇ／ｍ2・２４ｈ（４０℃・９０％ＲＨ）で、且つ、ＪＩＳ  Ｋ  ７３６１−１：１９９７に規定された全光線透過率が５０〜９５％の透明部分と、ＪＩＳ  Ｋ  ７３６１−１：１９９７に規定された全光線透過率が０．１〜４９％の不透明部分とを有することを特徴とする包装材料。
【手続補正８】
【補正対象書類名】明細書
【補正対象項目名】００２３
【補正方法】変更
【補正の内容】
【００２３】
６）前記透明部分と不透明部分との比率が１：９〜１：１であることを特徴とする５）に記載の包装材料。
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００４６
【補正方法】変更
【補正の内容】
【００４６】
他の手段としては、近赤外線吸収色素を１〜１０００ｍｇ／ｍ2含有させた層を最外層、中間層、最内層の少なくとも１層に設けることで達成可能である。１ｍｇ／ｍ2未満の場合は、近赤外線吸収色素の種類によっては、近赤外線を十分に吸収することが出来ず、例えば冷所から包装体を取り出し、太陽光線下に放置した時、包装体の内部の温度が上がり包装体の内部に水滴が発生するため好ましくない。１０００ｍｇ／ｍ2を超えた場合は、近赤外線吸収色素の近赤外線の吸収能力が飽和して不経済となるため好ましくない。近赤外線とは８００〜３０００ｎｍの波長域の赤外線を言う。
【手続補正２０】
【補正対象書類名】明細書
【補正対象項目名】００４７
【補正方法】変更
【補正の内容】
【００４７】
近赤外線吸収色素としては、フタロシアニン化合物、ナフタロシアニン化合物、アトトラキノン化合物が挙げられ、これらの中より少なくとも１種類を使用することが好ましい。これら近赤外線吸収色素としては可視光線透過率が高い化合物が好ましく、プラスチック包装材の原材料樹脂との相溶性に優れた化合物で、耐候性や耐熱性等の特性に優れた化合物が、より望ましいと言える。この様な諸特性を兼ね備える近赤外線吸収色素のフタロシアニン化合物の具体的な例としては、特開２００２−１７４６３２に記載してある化合物が挙げられる。ナフタロシアニン化合物の具体的な例としては、特開平１１−６０５８０号に記載してある化合物が挙げられる。アトトラキノン化合物の具体的な例としては、特開平６−２５６５４１号に記載してある化合物が挙げられる。
【手続補正２１】
【補正対象書類名】明細書
【補正対象項目名】００９１
【補正方法】変更
【補正の内容】
【００９１】
上記のマット剤は必要に応じて異なる種類の物質を混合して用いることができる。マット剤の大きさ、形状は特に限定はないが、０．１〜３０μｍの粒径のものを用いるのが好ましい。マット剤の粒径は走査型電子顕微鏡で測定することが可能である。
【手続補正２２】
【補正対象書類名】明細書
【補正対象項目名】０１３６
【補正方法】変更
【補正の内容】
【０１３６】
【表２】
2004233517.tif 000001
【手続補正２３】
【補正対象書類名】明細書
【補正対象項目名】０１３７
【補正方法】変更
【補正の内容】
【０１３７】
試料Ｎｏ．１０１は防湿層の無機蒸着フィルムが必要以上に厚くなり、包装材料のコストが高くなり実用化は難しいと判断する。試料Ｎｏ．１１６はフォトクロミック材料を必要以上に使用することで包装材料のコストが高くなり実用化は難しいと判断する。
【手続補正２４】
【補正対象書類名】明細書
【補正対象項目名】０１５１
【補正方法】変更
【補正の内容】
【０１５１】
【表６】
2004233517.tif 000002
【手続補正２５】
【補正対象書類名】明細書
【補正対象項目名】０１５２
【補正方法】変更
【補正の内容】
【０１５２】
試料Ｎｏ．３０１は防湿層の無機蒸着フィルムが必要以上に厚くなり、包装材料のコストが高くなり実用化は難しいと判断する。試料Ｎｏ．３２０は近赤外線吸収色素材料を必要以上に使用することで包装材料のコストが高くなり実用化は難しいと判断する。
【手続補正２６】
【補正対象書類名】明細書
【補正対象項目名】０１７２
【補正方法】変更
【補正の内容】
【０１７２】
【表１２】
2004233517.tif 000003
【手続補正２７】
【補正対象書類名】明細書
【補正対象項目名】０１７９
【補正方法】変更
【補正の内容】
【０１７９】
【表１４】
2004233517.tif 000004
【手続補正２８】
【補正対象書類名】明細書
【補正対象項目名】０１８０
【補正方法】変更
【補正の内容】
【０１８０】
試料Ｎｏ．７０１は防湿層の無機蒸着フィルムが必要以上に厚くなり、包装材料のコストが高くなり実用化は難しいと判断する。試料Ｎｏ．７１４はカレンダー加工処理が難しくなり実用化は難しいと判断する。